(57)【要約】【課題】  プリザーブドフラワーの湾曲した花弁から、異なった花の型枠を用いて葉脈を合わせて型抜きにして、扁平になる花弁の製造及び、そのプリザーブドフラワーを長期に渡り自然の生花と同様な新鮮な外観を保つように封入した装飾性に優れるプリザーブドフラワーシートを得る。【解決手段】  プリザーブドフラワーの花弁1から型枠を用いて葉脈を合わせて型抜き、元の花から異なる花に成形されたプリザーブドフラワーの花弁Ｂを、上下から合成樹脂シート５．６で挟み、上下の合成樹脂シート５．６をラミネーターを通して熱溶着させてプリザーブドフラワーシート８を製造した。【選択図】  図2
2012197549.tif 000002
【特許請求の範囲】
【請求項１】
少なくとも一方が透明又は半透明の２枚の合成樹脂シート間にプリザーブドフラワーの花弁を封入したプリザーブドフラワーシートの製造方法であって、立体的なプリザーブドフラワーの湾曲した花弁から、異なる花の抜き型を用いて葉脈を合わせて型抜ぬき、扁平になる花弁を成形し、前記下側の合成樹脂シートの上に、台紙は使わず直接、成形した前記花弁を適宜に配置し、その上から上側の合成樹脂シートを重ね合わせ、重ね合わせた上下の合成樹脂シートの熱可塑性樹脂をラミネーターの複数の上下ローラーを通して熱溶着させ、ラミネート後冷却することにより、前記花弁を除く全面は透明性を保ったまま溶着させることを特徴とするプリザーブドフラワーシートの製造方法。
【請求項２】
前記プリザーブドフラワーは、花弁が扁平に近い形状の、一重咲きの花弁形の、抜き型を用いて型抜くことを特徴とするプリザーブドフラワーの製造方法。
【請求項３】
前記プリザーブドフラワーは、元の花から異なる花のプリザーブドフラワーの製造方法。
【請求項４】
前記プリザーブドフラワーは、湾曲した花弁の硬い部分の少し上に抜き型を合わせ、葉脈が先端に向かって広がる花弁に型抜いたプリザーブドフラワーの製造方法。
【請求項５】
前記型抜かれたプリザーブドフラワーは、花芯を中心に放射状に配列して花形に
形成するプリザーブドフラワーの製造方法。
【請求項６】
前記プリザーブドフラワーは、台紙は使わず、直接透明又は半透明の合成樹脂シート上に花弁をデザインして配置し、その上から他方の合成樹脂シートを重ね合わせ、重ね合わせた合成樹脂シートをラミネーターを通して互いに加熱加圧をして熱溶着させ、冷却することにより、花弁を除く全面が透明性を保ったまま溶着させることを特徴とするプリザーブドフラワーシート。
【発明の詳細な説明】
【技術分野】
【０００１】
本発明は、当該プリザーブドフラワーの花弁から異なった花を創り、下側の一方が透明又は半透明の２枚の合成樹脂シート間に挟み、ラミネーターを通してラミネートし、プリザーブドフラワーを除く全面を透明性を保ったまま溶着封入した、プリザーブドフラワーシートの製造方法及びその製造方法によって作られたプリザーブドフラワーシートに関する。
【背景技術】
【０００２】
プリザーブドフラワーとは、公知の製法により製造されるものであり、花やグリーンを鮮度の良い状態で摘み取られ、有機溶剤を用いて脱水、脱色し、続いて保存液となる不揮発性溶剤を用いて切り花の水分と置換し、その上から染料を用いて適宜着色した後、乾燥させることにより得られる。新鮮な外観が空間に置いておいても長期間美しさを保つ。切り花と同様な立体的な装飾品で、ウェディングブーケ、インテリアフラワー、フラワーアレンジギフトとして広く用いられている。
【０００３】
一般的に熱ラミネートフイルムは、２層式（合成樹脂＋熱可塑性樹脂）になっており、合成樹脂側から90度から160度に加熱し、熱可塑性樹脂を軟化・溶融させ糊状にして、圧力をかけて貼り合わせる。ラミネート後冷却することにより、ラミネートしたものの周囲が3 〜 5mmほど透明性を保ったまま溶着する。
ラミネートフイルムの使用方法としては、ア）ラミネートするものより周囲が3 〜5mm ほど大きなフィルムを使用すること。イ）最適な大きさのフィルムがない場合は、大きめのフィルムを使用して、空白部分に捨て紙を入れてラミネートすること。ラミネートした後、ラミネートしたもののサイズに合わせてカットすればよい。ウ）ラミネートをする前にフィルムをカットしたり、変形させたり継ぎ足したりして使用してはならない。
【０００４】
従来から、プリザーブドフラワーは、自然の生花と同様な新鮮な外観を保ち、新鮮な外観が切花より長持ちする保存花として知られ、ウェディングブーケ、インテリアフラワー、フラワーアレンジギフトとして広く用いられている。しかし、プリザーブドフラワーは、切花より長持ちするものの、長期間空間においておくと、紫外線を受けたり、湿気を帯びたり、ホコリが付いたりして、劣化したり変色したりする。そこで、プリザーブドフラワーの新鮮な外観を一層長期に渡って保ち、装飾品として優れた効果を発揮させるものとして、プリザーブドフラワーを透明合成樹脂の中に埋封した装飾品が開示されている（例えば、特許文献１参照。）。
このように、自然な形態を保ったプリザーブドフラワーを立体形状のまま装飾品として利用する技術は、特許文献２、３に開示されているように枚挙に遑がない。しかし、薄板状やシート状の装飾品としては存在していない。
押し花（切り花に含まれる水分が酸化(腐敗)する前に圧縮して乾燥させた花）をシート状にしたものとして特許文献４、５に開示されているが、押し花や台紙の周りに多少空気が残っている上、合成樹脂はわずかな気体透過性があるので、押し花は徐々に酸化を初め枯れた色になってしまう。
押し花本体にラミネートし、カバーとした押し花が開示されている（特許文献６参照）。押し花の上下面のいずれか1方あるいは両面を柔軟性を有し、熱を加えると任意の形状に変形し、冷たくなると、その変形状態を保つラミネートシートで覆うように溶着でカバーである。一般的なラミネートフイルムはラミネーターで90度から160度に熱を加えながら貼っていく。熱を加えると任意の形状に変形する素材のラミネートシートはラミネーターを用いてラミネートすることは出来ない。一般的なラミネートとは異なる、特殊なラミネートシートを使用し、特殊な方法で熱を加えてラミネートしているのである。
【先行技術文献】
【特許文献】
【０００５】
【特許文献１】特開２００６−３０６７６１号公報
【特許文献２】特開２００６−０６９１２４号公報
【特許文献３】特開２００５−２８０３２３号公報
【特許文献４】特開２００３−８１７０２号公報
【特許文献５】特開平５−１６２４８８号公報
【特許文献６】特開２００３−０８２５１４号公報
【発明の概要】
【発明が解決しようとする課題】
【０００６】
上記のように、従来のプリザーブドフラワーは、自然の生花と同じ形を維持させた立体的な装飾品としてのみを用途として存在しており、特許文献1で開示されている技術にあってもプリザーブドフラワーを立体形状のまま用いており、薄板状やシート状の装飾品は得られないので、装飾品としてその用途は限られている。
【０００７】
また、プリザーブドフラワー以外では、切り花をシートにしたものが特許文献４、５に開示されているが、いずれも切り花に含まれる水分が酸化(腐敗)する前に圧縮して乾燥させた押し花を用いるので、プリザーブドフラワーの様な新鮮な花の外観による美感が得られず、装飾性としては低い。その上、押し花は完全に乾燥させているため脆くなっており、押し花の配置部分で折り曲げると押し花が破損するおそれが高く、折り曲げることを前提としていないが、例えばカード類のような平面的なものにしか利用することができない。
【課題を解決するための手段】
【０００８】
本発明者は、上記の点に鑑み、装飾性の高いプリザーブドフラワーの装飾品としての用途を拡大させるものとして、プリザーブドフラワーを透明なシートに封入することに着想した。しかし、プリザーブド加工上、花びらが脱落しやすい種類の花、花びらの薄い花、草花等は、プリザーブド加工には適さないため、プリザーブドフラワーの花の種類は少なく、その上、扁平になる花は非常に限られている。
そこで、立体的なプリザーブドフラワーの花弁からプリザーブドフラワーにはない種類の異なった花を創ることを思い立った。一重咲きの花弁であれば初めから扁平に近い形状であること、一重咲きの花は同じ形状の花弁が、４枚、５枚、７枚、８枚、等で形成されていることに着目し、湾曲した花弁から一重咲きの花弁形を創ることを思い立ち、試験研究を重ねた結果、一重咲きの花弁形の抜き型を用いて、湾曲した硬い部分の少し上から葉脈を合わせて型抜きにすると自然な美しい花弁を作ることができた。また、デザイン上、大きすぎる花弁や葉であっても、所望の大きさの抜き型を用いて、葉脈を合わせて型抜くことで自然な花弁・葉が創れた。例えば、所望の花の抜き型に所望の花色を用いて、葉脈を合わせて型抜き、四つ葉のクローバーであれば４枚に、一重のバラ、サクラ、ナデシコであれば５枚に、コスモスであれば８枚に自然な放射状に配列すれば自然で美しい花を創ることができた。
抜き型を用いることで、プリザーブド加工には向かない花びらが脱落しやすい種類の花、花びらの薄い花、草花、なかなか手に入りにくい四つ葉のクローバーであっても抜き型、色を合わせることでプリザーブドフラワーから簡単に作れるようになった。そして、同じ形状のものが複数製造出来ることで、それを用いて同じ図案を複数作ることも可能になり、意匠権を取ることも出来るようになり、本発明を完成するに至った。
【０００９】
本発明の目的は、元のプリザーブドフラワーから多種類の異なった花を創り、２枚の合成樹脂シートの間に封入することで長期に渡り自然の生花と同様な新鮮な外観を保つようにした、装飾性に優れるプリザーブドフラワーシートの製造方法にある。
【００１０】
上記の目的を達成するために、請求項１に記載の発明は、少なくとも一方が透明又は半透明の２枚の合成樹脂シート間にプリザーブドフラワーの花弁を封入したプリザーブドフラワーシートの製造方法であって、元のプリザーブドフラワーの花弁から、型枠を用いて葉脈を合わせて型抜きにして異なった花を創り、前記一方の合成樹脂シートの上に、成形した花弁を適宜に配置し、その上から他方の合成樹脂シートを重ね合わせ、そうした上下の合成樹脂シートをラミネーターを通して互いに加熱加圧をして、対向面側の熱可塑性樹脂層を熱溶着させ、花弁を除く全面が透明性を保ったまま溶着することを特徴とする。
【００１１】
請求項２の発明は、プリザーブドフラワーの湾曲した硬い部分の少し上に抜き型を当て、葉脈に合わせて型抜きにして成形した花弁を、透明又は半透明の合成樹脂シートの上に適宜に配置し、その上から他方の合成樹脂シートを重ね合わせ、重ね合わせた合成樹脂シートを互いに加熱加圧して熱溶着させて、冷却することにより、花弁を除く全面が透明性を保ったまま溶着したプリザーブドフラワーシートを特徴とする。
ここで、上下の重ね合わせた合成樹脂シートを加熱加圧するのには、ラミネーターを使用する。これにより、数本の上下のローラーを通して全面を平均的に加熱加圧され、まるでガラスの中に自然で瑞々しい花が封入されている様なシートにすることができる。
【発明の効果】
【００１２】
請求項１に記載のプリザーブドフラワーシートの製造方法によれば、プリザーブドフラワーの湾曲した花弁は、一重咲き（扁平形状になる）花弁形の抜き型を用いて葉脈を合わせて型抜きにして成形し、この型抜きにしたプリザーブドフラワーの花弁を自然な放射状に配列し、台紙は使わず、直接透明又は半透明の合成樹脂シートで挟み、上下の合成樹脂シートを熱溶着することで、合成樹脂シート間に封入されたプリザーブドフラワーは長期に渡り自然の生花と同様な新鮮な外観を保つ状態に維持されるとともに、このプリザーブドフラワーは透明又は半透明の合成樹脂シートを透して見ることができ、装飾性に優れるプリザーブドフラワーシートを得ることができる。また、合成樹脂シート間には台紙は使用せず直接プリザーブドフラワーを封入することで、上下の合成樹脂シートの対向面側の熱可塑性樹脂層は、花弁を除く全面が熱溶着している為、その利用にあっては、シートであるので平面的にも、立体的にも利用することが可能であり、各種の物品の装飾素材として、また、各種装飾品の成形素材として広く使用することができる。そして、封入されているプリザーブドフラワーは柔軟性を有しているので、シートの折り曲げ位置にあっても美感を損なうことなく柔軟に対応することが出来るので、シートを箱状に組み立てて立体的に利用しても、その形状に特に制約されることなく利用することができる。
【００１３】
請求項２〜８に記載のプリザーブドフラワーシートによれば、前記プリザーブドフラワーの花弁は、一重咲き（扁平形状になる）花片形の抜き型を用いて葉脈を合わせて型抜きにしているので、自然かつ扁平形状になるプリザーブドフラワーの花弁が得られ、それを用いて美観に優れたプリザーブドフラワーシートを得ることが出来る。
【００１４】
特に、前記抜き型を用いて葉脈を合わせて型抜きにして形成したプリザーブドフラワーの花弁は、皺も破れもない状態で合成樹脂シートに挟むことができ、美観に優れたプリザーブドフラワーシートを得ることができる。
【００１５】
さらに、抜き型を用いて葉脈を合わせて型抜きにして成形した花弁を、下側の合成樹脂シート上の所望の位置に、台紙は使わず直接配置し、その上方から上側の合成樹脂シートを重ねて挟むようにしたので、挟むには馴染まないような湾曲した形状や大きすぎるプリザーブドフラワーの花弁や葉であっても、湾曲した硬い部分の少し上に抜き型を当てて葉脈を合わせて型抜きにすることで自然で扁平になる形状に成形することも、望みの大きさにすることが出来る。また、湾曲した花弁から、抜き型を変えることで、いろんな花を創ることが出来る。
【００１６】
前記プリザーブドフラワーの花弁は、扁平形状に近い一重咲き花弁形の抜き型を用いて型抜きにすることで、扁平になる形状に成形している。抜き型はプリザーブドフラワー、プリザーブドグリーンに限らず、湾曲した生花にでも同様に使用できるので、押し花でも応用できるのは言うまでもない。また、型枠を用いて型抜きにするので、同じデザインを人為的に幾つでも作ることができる為、意匠権を取ることができる。
【００１７】
前記プリザーブドフラワーシートは、２枚の合成樹脂シートの間に、台紙を使わず直接プリザーブドフラワーを配置するので、まるでガラスの中に花が入っているように見える。
【００１８】
加えて、装飾性に優れたプリザーブドフラワーシートを得ることができるので、例えば、ガラスの代用、パーティション、名刺、ショップカード、ティシュボックス、化粧箱、ランプシェード等として利用できる。
【図面の簡単な説明】
【００１９】
【図１】各種抜き型の型抜き面の一例を示した平面図
【図２】分離された花弁から型抜きにする工程の説明図
【図３】(a) 湾曲した硬い部分の少し上に、葉脈を合わせて一重のバラの抜き型をおいた図            (b) 型抜かれた一重のバラの花弁図
【図４】(a) 同じくクローバーの葉をおいた図                        (b) 型抜かれたクローバーの葉片図
【図５】(a) 同じくナデシコの花弁をおいた図(b) 型抜かれたナデシコの花弁図
【図６】バラの花弁を形成したバラの花の平面図
【図７】クローバーの葉片を形成した四つ葉のクローバーの平面図
【図８】ナデシコの花弁を形成したナデシコの花の平面図
【図９】サクラの花弁を形成したサクラの花の平面図
【図１０】コスモスの花弁を形成したコスモスの花の平面図
【図１１】扁平に成形された一重のバラの花を上下の合成樹脂シート間に挟み込む説明図
【図１２】バラの花が挟みこまれた上下の合成樹脂シートをラミネーターに掛ける説明図
【図１３】バラの花をあしらったプリザーブドフラワーシートの平面図
【図１４】バラの花のプリザーブドフラワーシートから形成した透明なティシュボックスの外観斜視図
【発明を実施するための形態】
【００２０】
本発明に係るプリザーブドフラワーシートの製造方法は、立体形状のプリザーブドフラワーから花弁を切り離し、湾曲して硬い部分の少し上に葉脈を合わせて抜き型を当て型抜きにして成形する第一の工程と、この成形されたプリザーブドフラワーの花弁Ｂを透明又は半透明の２枚の合成樹脂シート５．６で挟み、上下の合成樹脂シート５．６をラミネーターを通して加熱加圧をして熱溶着させてプリザーブドフラワーシート８を得る第２工程からなる。
【００２１】
まず、第一の工程を説明する。第一の工程で使用されるプリザーブドフラワーは、自然の生花と同様な新鮮な外観を保つとともに柔らかく、そして新鮮な外観や柔らかさが切り花よりも長持ちする保存花として知られている。プリザーブドフラワーは公知の製法により製造されるものであり、切り花を咲いた状態で有機溶剤を用いて脱水、脱色し、続いて保存液となる不揮発性溶剤を用いて切り花の水分と置換し、その上から染料を用いて適宜着色した後、乾燥させることにより得られる。
【００２２】
このようにして得られたプリザーブドフラワーの花弁を切り離し、自然のままの湾曲した花弁の、湾曲した硬い部分の少し上に、抜き型を当てて葉脈を合わせて型抜ぬきにし扁平になる形状に成形する。
【００２３】
プリザーブドフラワーの花弁の形状によっては、例えば、プリザーブドフラワーの花弁や葉が大きすぎる場合でも、抜き型を用いて葉脈を合わせて型抜きにすることで花弁や葉は自然でいて所望の大きさになる。抜き型の形状は実物形状であっても良いし、イラスト的なもの、古典的な花の文様であってもよく、サイズも特に限定されない。
【００２４】
つぎに、第二の工程を説明する。まず、第一の工程で型枠を用いて型抜きにして成型されたプリザーブドフラワーの花弁Ｂ．Ｃ．Ｄや葉を、合成樹脂シート５の上で適宜に組み合わせて配置する。
【００２５】
以下、本発明に係るプリザーブドフラワーシートの製造方法の実施例を図を参照にして詳細に説明する。
【００２６】
合成樹脂シート５の上に抜き型を用いて型抜きにして成形されたプリザーブドフラワーの花弁Ｂを台紙は使用せず直接配置し、その上に合成樹脂シート６を被せるようにして重ね、プリザーブドフラワーの花弁Ｂを合成樹脂シート５．６で挟み込む。
【００２７】
前記の合成樹脂シート５．６にあっては、少なくともいずれか一方が透明或いは半透明であることを要する。
【００２８】
前記の合成樹脂シート５．６にあっては、湿気遮断性、紫外線遮断性のあるものが好ましい。また合成樹脂シート５は不透明にしてもよい。そして、合成樹脂シート５．６は、単層、複数層のいずれでもよいが、少なくとも合成樹脂シート５．６の対向面側には熱可塑性樹脂層が積層されていることを要する。また、合成樹脂シート５．６の大きさ、形状、厚さなどについては特に限定されるものではなく、得られたプリザーブドフラワーシート８の使用目的に応じて適宜選択される。
【００２９】
かかる上下の合成樹脂シート５．６でプリザーブドフラワーの花弁Ｂを挟んだら、合成樹脂シート５．６をラミネーターの複数の上下ローラーを通して加熱加圧をして、合成樹脂シート５．６の内面を気密的に溶着し、図１３に示すようなプリザーブドフラワーシート８を得る。
【００３０】
このようにして得られたプリザーブドフラワーシート８は、合成樹脂シート５．６間に封入されたプリザーブドフラワーの花弁Ｂが長期に渡り自然の生花と同様な新鮮な外観を保つ状態に維持されるとともに、このプリザーブドフラワー花弁Ｂを合成樹脂シート５．６或いは合成樹脂シート６を透して見ることができ、装飾性に優れたものとなる。その利用にあっては、シートであるので平面的、立体的のいずれにも利用することが可能であり、各種の物品の装飾素材として、また、各種装飾品の成形素材として広く使用することができる。
【００３１】
例えば、平面的には、名刺、シール、ショップカードとして、また、枠に嵌めることによりガラスの代用、パーテーションとして利用することができる。また、立体的には、電気スタンドなどの照明器具の笠や、化粧箱、ティシュボックス等の成形素材として利用することができるが、これらは利用対象を例示したものであって、利用対象をこれらに限定するものではない。
【符号の説明】
【００３２】
１      花弁
２      花芯
３      葉脈
４      先端
５      合成樹脂シート
６      合成樹脂シート
７      ラミネータ
８      プリザーブドフラワーシート
Ａ      抜き型
Ｂ      型抜かれたバラの花弁
Ｃ      型抜かれたクローバーの葉弁
Ｄ      型抜かれたナデシコの花弁
Ｅ      シート状のプリザーブドフラワー
【図１】
2012197549.tif 000003
【図２】
2012197549.tif 000004
【図３】
2012197549.tif 000005
【図４】
2012197549.tif 000006
【図５】
2012197549.tif 000007
【図６】
2012197549.tif 000008
【図７】
2012197549.tif 000009
【図８】
2012197549.tif 000010
【図９】
2012197549.tif 000011
【図１０】
2012197549.tif 000012
【図１１】
2012197549.tif 000013
【図１２】
2012197549.tif 000014
【図１３】
2012197549.tif 000015
【図１４】
2012197549.tif 000016